(57)【要約】【課題】  視聴しているチャンネルの番組と、それ以外の他のチャンネルのデータ放送番組とを同時に視聴する放送受信装置を実現する。【解決手段】  指定チャンネルの映像・音声からなる番組パケットＰおよびデータ放送コンテンツＤ１を受信する受信部１７と、指定チャンネルのデータ放送コンテンツＤ２を受信するデータ放送受信部１８とを備え、切替部２０が受信部１７から供給される番組パケットＰを選択する受信入力モードに設定されている場合に、受信部１７とデータ放送受信部１８とが同じチャンネルを受信していなければ、データ放送受信部１８により受信されたデータ放送コンテンツＤ２に基づいて生成されるデータ放送画面ＤＧに、受信部１７にて受信された映像・音声からなる番組パケットＰを復号してなる映像を合成して画面に表示する。【選択図】  図１
2006211322.tif 000002
【特許請求の範囲】
【請求項１】
データ放送を含むテレビ放送を受信する受信手段と、
データ放送を受信するデータ放送受信手段と、
前記受信手段と前記データ放送受信手段とが同一の受信チャンネルにて放送受信していない場合に、前記データ放送受信手段により受信されるデータ放送の内容と前記受信手段により受信されるテレビ放送映像とを合成して表示する合成表示手段と
を具備することを特徴とする放送受信装置。
【請求項２】
データ放送を含むテレビ放送を受信する受信手段と、
データ放送を受信するデータ放送受信手段と、
前記受信手段と前記データ放送受信手段とが同一の受信チャンネルにて放送受信しているか否かを判定する判定手段と、
前記判定手段により同一の受信チャンネルで放送受信していないと判定された場合に、前記データ放送受信手段により受信されるデータ放送の内容と前記受信手段により受信されるテレビ放送映像とを合成して表示する合成表示手段と
を具備することを特徴とする放送受信装置。
【請求項３】
データ放送を含むテレビ放送を受信して少なくとも受信映像を発生する受信手段と、
データ放送を受信してデータ放送内容を発生するデータ放送受信手段と、
前記受信手段により生成される受信映像又は外部から供給される外部入力映像のいずれかを入力する入力手段と、
前記入力手段が前記受信手段により生成される受信映像を入力した場合、その受信映像を発生する前記受信手段の受信チャンネルと前記データ放送受信手段の受信チャンネルとが同一でなければ、入力された受信映像と前記データ放送受信手段により生成されるデータ放送内容とを合成して表示する第１の合成表示手段と、
前記入力手段が外部から供給される外部入力映像を入力した場合、その外部入力映像と前記データ放送受信手段により生成されるデータ放送内容と合成して表示する第２の合成表示手段と
を具備することを特徴とする放送受信装置。
【請求項４】
データ放送を含むテレビ放送を受信して受信映像および第１のデータ放送内容を発生する受信手段と、
データ放送を受信して第２のデータ放送内容を発生するデータ放送受信手段と、
前記受信手段と前記データ放送受信手段とが同一の受信チャンネルにて放送受信しているか否かを判定する判定手段と、
前記判定手段により同一の受信チャンネルで放送受信していると判定された場合には前記受信手段が生成する第１のデータ放送内容を選択し、一方、同一の受信チャンネルで放送受信していないと判定された場合には前記データ放送受信手段が生成する第２のデータ放送内容を選択する選択手段と、
前記選択手段により選択される第１および第２のデータ放送内容のいずれかと前記受信手段により生成される受信映像とを合成して表示する合成表示手段と、
前記判定手段により同一の受信チャンネルで放送受信していると判定された場合に、前記データ放送受信手段に供給する電源をオフ設定する設定手段と
を具備することを特徴とする放送受信装置。
【請求項５】
データ放送を含むテレビ放送を受信する受信処理と、
データ放送を受信するデータ放送受信処理と、
前記受信処理と前記データ放送受信処理とが同一の受信チャンネルにて放送受信していない場合に、前記データ放送受信処理により受信されるデータ放送の内容と前記受信処理により受信されるテレビ放送映像とを合成して表示する合成表示処理と
をコンピュータで実行させることを特徴とする放送受信処理プログラム。
【請求項６】
データ放送を含むテレビ放送を受信する受信処理と、
データ放送を受信するデータ放送受信処理と、
前記受信処理と前記データ放送受信処理とが同一の受信チャンネルにて放送受信しているか否かを判定する判定処理と、
前記判定処理により同一の受信チャンネルで放送受信していないと判定された場合に、前記データ放送受信処理により受信されるデータ放送の内容と前記受信処理により受信されるテレビ放送映像とを合成して表示する合成表示処理と
をコンピュータで実行させることを特徴とする放送受信処理プログラム。
【請求項７】
データ放送を含むテレビ放送を受信して少なくとも受信映像を発生する受信処理と、
データ放送を受信してデータ放送内容を発生するデータ放送受信処理と、
前記受信処理により生成される受信映像又は外部から供給される外部入力映像のいずれかを入力する入力処理と、
前記入力処理にて前記受信手段により生成される受信映像が入力された場合、その受信映像を発生する前記受信処理の受信チャンネルと前記データ放送受信処理の受信チャンネルとが同一でなければ、入力された受信映像と前記データ放送受信処理により生成されるデータ放送内容とを合成して表示する第１の合成表示処理と、
前記入力処理にて外部から供給される外部入力映像が入力された場合、その外部入力映像と前記データ放送受信処理により生成されるデータ放送内容と合成して表示する第２の合成表示処理と
をコンピュータで実行させることを特徴とする放送受信処理プログラム。
【請求項８】
データ放送を含むテレビ放送を受信して受信映像および第１のデータ放送内容を発生する受信処理と、
データ放送を受信して第２のデータ放送内容を発生するデータ放送受信処理と、
前記受信処理と前記データ放送受信処理とが同一の受信チャンネルにて放送受信しているか否かを判定する判定処理と、
前記判定処理により同一の受信チャンネルで放送受信していると判定された場合には前記受信処理が生成する第１のデータ放送内容を選択し、一方、同一の受信チャンネルで放送受信していないと判定された場合には前記データ放送受信処理が生成する第２のデータ放送内容を選択する選択処理と、
前記選択処理により選択される第１および第２のデータ放送内容のいずれかと前記受信処理により生成される受信映像とを合成して表示する合成表示処理と、
前記判定処理にて同一の受信チャンネルで放送受信していると判定された場合に、前記データ放送受信処理を実行する装置の電源をオフ設定する設定処理と
をコンピュータで実行させることを特徴とする放送受信処理プログラム。
【発明の詳細な説明】
【技術分野】
【０００１】
本発明は、デジタル放送を受信する放送受信装置および放送受信処理プログラムに関する。
【背景技術】
【０００２】
デジタル放送では、図５に図示するように、映像Ｖ、音声ＡおよびデータコンテンツＤが全てパケット単位に分割され、ＩＳＯ／ＩＥＣ１３８１８−１規格で定義されるＭＰＥＧ２−ＴＳ（以下、トランスポートストリームＴＳと称す）と呼ばれる多重化ストリーム形式で多重化されて伝送される。なお、トランスポートストリームＴＳにてデータ放送されるデータコンテンツＤには、字幕や文字スーパーなどの番組に連動するコンテンツや、天気予報やニュースなどの蓄積型サービスコンテンツがある。
【０００３】
このようなデジタル放送を受信する装置として、例えば特許文献１には、所望の変調周波数のデジタル放送信号を受信して得たデータストリームと、外部の受信装置により入力されるデジタル放送信号のデータストリームとの内、一方のデータストリームに含まれるチャンネルの内容をリアルタイムに再生しながら、他方のデータストリームに含まれるチャンネルの内容を媒体記録することで、チャンネルが異なる２つの放送の一方の番組を視聴しながら、他方の番組を記録する放送受信装置が開示されている。
【０００４】
【特許文献１】特開２００１−２８５７２９号公報
【発明の開示】
【発明が解決しようとする課題】
【０００５】
上記特許文献１に開示の放送受信装置は、チャンネルが異なる２つの放送の一方の番組を視聴しながら、他方の番組を記録するだけなので、あるチャンネルの映像Ｖおよび音声Ａからなる番組と、それ以外の他のチャンネルのデータ放送とを同時に視聴することができない、という問題がある。
【０００６】
そこで本発明は、このような事情に鑑みてなされたもので、視聴しているチャンネルの番組と、それ以外の他のチャンネルのデータ放送番組とを同時に視聴することができる放送受信装置および放送受信処理プログラムを提供することを目的としている。
【課題を解決するための手段】
【０００７】
上記目的を達成するため、請求項１に記載の発明では、データ放送を含むテレビ放送を受信する受信手段と、データ放送を受信するデータ放送受信手段と、前記受信手段と前記データ放送受信手段とが同一の受信チャンネルにて放送受信していない場合に、前記データ放送受信手段により受信されるデータ放送の内容と前記受信手段により受信されるテレビ放送映像とを合成して表示する合成表示手段とを具備することを特徴とする。
【０００８】
請求項２に記載の発明では、データ放送を含むテレビ放送を受信する受信手段と、データ放送を受信するデータ放送受信手段と、前記受信手段と前記データ放送受信手段とが同一の受信チャンネルにて放送受信しているか否かを判定する判定手段と、前記判定手段により同一の受信チャンネルで放送受信していないと判定された場合に、前記データ放送受信手段により受信されるデータ放送の内容と前記受信手段により受信されるテレビ放送映像とを合成して表示する合成表示手段とを具備することを特徴とする。
【０００９】
請求項３に記載の発明では、データ放送を含むテレビ放送を受信して少なくとも受信映像を発生する受信手段と、データ放送を受信してデータ放送内容を発生するデータ放送受信手段と、前記受信手段により生成される受信映像又は外部から供給される外部入力映像のいずれかを入力する入力手段と、前記入力手段が前記受信手段により生成される受信映像を入力した場合、その受信映像を発生する前記受信手段の受信チャンネルと前記データ放送受信手段の受信チャンネルとが同一でなければ、入力された受信映像と前記データ放送受信手段により生成されるデータ放送内容とを合成して表示する第１の合成表示手段と、前記入力手段が外部から供給される外部入力映像を入力した場合、その外部入力映像と前記データ放送受信手段により生成されるデータ放送内容と合成して表示する第２の合成表示手段とを具備することを特徴とする。
【００１０】
請求項４に記載の発明では、データ放送を含むテレビ放送を受信して受信映像および第１のデータ放送内容を発生する受信手段と、データ放送を受信して第２のデータ放送内容を発生するデータ放送受信手段と、前記受信手段と前記データ放送受信手段とが同一の受信チャンネルにて放送受信しているか否かを判定する判定手段と、前記判定手段により同一の受信チャンネルで放送受信していると判定された場合には前記受信手段が生成する第１のデータ放送内容を選択し、一方、同一の受信チャンネルで放送受信していないと判定された場合には前記データ放送受信手段が生成する第２のデータ放送内容を選択する選択手段と、前記選択手段により選択される第１および第２のデータ放送内容のいずれかと前記受信手段により生成される受信映像とを合成して表示する合成表示手段と、  前記判定手段により同一の受信チャンネルで放送受信していると判定された場合に、前記データ放送受信手段に供給する電源をオフ設定する設定手段とを具備することを特徴とする。
【００１１】
請求項５に記載の発明では、データ放送を含むテレビ放送を受信する受信処理と、データ放送を受信するデータ放送受信処理と、前記受信処理と前記データ放送受信処理とが同一の受信チャンネルにて放送受信していない場合に、前記データ放送受信処理により受信されるデータ放送の内容と前記受信処理により受信されるテレビ放送映像とを合成して表示する合成表示処理とをコンピュータで実行させることを特徴とする。
【００１２】
請求項６に記載の発明では、データ放送を含むテレビ放送を受信する受信処理と、データ放送を受信するデータ放送受信処理と、前記受信処理と前記データ放送受信処理とが同一の受信チャンネルにて放送受信しているか否かを判定する判定処理と、前記判定処理により同一の受信チャンネルで放送受信していないと判定された場合に、前記データ放送受信処理により受信されるデータ放送の内容と前記受信処理により受信されるテレビ放送映像とを合成して表示する合成表示処理とをコンピュータで実行させることを特徴とする。
【００１３】
請求項７に記載の発明では、データ放送を含むテレビ放送を受信して少なくとも受信映像を発生する受信処理と、データ放送を受信してデータ放送内容を発生するデータ放送受信処理と、前記受信処理により生成される受信映像又は外部から供給される外部入力映像のいずれかを入力する入力処理と、前記入力処理にて前記受信手段により生成される受信映像が入力された場合、その受信映像を発生する前記受信処理の受信チャンネルと前記データ放送受信処理の受信チャンネルとが同一でなければ、入力された受信映像と前記データ放送受信処理により生成されるデータ放送内容とを合成して表示する第１の合成表示処理と、前記入力処理にて外部から供給される外部入力映像が入力された場合、その外部入力映像と前記データ放送受信処理により生成されるデータ放送内容と合成して表示する第２の合成表示処理とをコンピュータで実行させることを特徴とする。
【００１４】
請求項８に記載の発明では、データ放送を含むテレビ放送を受信して受信映像および第１のデータ放送内容を発生する受信処理と、データ放送を受信して第２のデータ放送内容を発生するデータ放送受信処理と、前記受信処理と前記データ放送受信処理とが同一の受信チャンネルにて放送受信しているか否かを判定する判定処理と、前記判定処理により同一の受信チャンネルで放送受信していると判定された場合には前記受信処理が生成する第１のデータ放送内容を選択し、一方、同一の受信チャンネルで放送受信していないと判定された場合には前記データ放送受信処理が生成する第２のデータ放送内容を選択する選択処理と、前記選択処理により選択される第１および第２のデータ放送内容のいずれかと前記受信処理により生成される受信映像とを合成して表示する合成表示処理と、前記判定処理にて同一の受信チャンネルで放送受信していると判定された場合に、前記データ放送受信処理を実行する装置の電源をオフ設定する設定処理とをコンピュータで実行させることを特徴とする。
【発明の効果】
【００１５】
請求項１、５に記載の発明によれば、テレビ放送を受信するチャンネルとデータ放送を受信するチャンネルとが異なると、データ放送受信により得られるデータ放送の内容とテレビ放送受信により得られるテレビ放送映像とを合成して表示するので、視聴しているチャンネルの番組と、それ以外の他のチャンネルのデータ放送番組とを同時に視聴することができる。
【００１６】
請求項２、６に記載の発明によれば、テレビ放送受信とデータ放送受信とが同一の受信チャンネルで行われているか否かを判定し、同一の受信チャンネルで放送受信していない場合には、データ放送受信により得られるデータ放送の内容とテレビ放送受信により得られるテレビ放送映像とを合成して表示するので、視聴しているチャンネルの番組と、それ以外の他のチャンネルのデータ放送番組とを同時に視聴することができる。
【００１７】
請求項３、７に記載の発明によれば、データ放送を含むテレビ放送を受信して得た受信映像を入力した場合に、その受信映像を受信した受信チャンネルとデータ放送の受信チャンネルとが同一でなければ、入力された受信映像とデータ放送を受信して得たデータ放送内容とを合成して表示するので、視聴しているチャンネルの番組と、それ以外の他のチャンネルのデータ放送番組とを同時に視聴することができる。
また、受信映像に替えて外部から供給される外部入力映像を入力した場合には、その外部入力映像とデータ放送を受信して得たデータ放送内容とを合成して表示するので、外部入力された番組と受信したデータ放送番組とを同時に視聴することができる。
【００１８】
請求項４、８に記載の発明によれば、テレビ放送受信とデータ放送受信とが同一の受信チャンネルで行われているか否かを判定し、同一の受信チャンネルで放送受信していると判定された場合にはテレビ放送受信で得られる第１のデータ放送内容を選択し、一方、同一の受信チャンネルで放送受信していないと判定された場合にはデータ放送受信で得られる第２のデータ放送内容を選択する。そして、選択されたデータ放送内容とテレビ放送受信により得られる受信映像とを合成して表示する。したがって、同一の受信チャンネルで放送受信していない場合には、データ放送受信で得られる第２のデータ放送内容とテレビ放送受信により得られる受信映像とを合成して表示するから、視聴しているチャンネルの番組と、それ以外の他のチャンネルのデータ放送番組とを同時に視聴することができる。  また、テレビ放送受信とデータ放送受信とが同一の受信チャンネルで行われていると、データ放送受信用の電源をオフ設定する為、消費電力の低減を図ることができる。
【発明を実施するための最良の形態】
【００１９】
以下、図面を参照して本発明の実施の形態について説明する。
（１）構成
図１は本発明の実施の一形態による放送受信装置１００の構成を示すブロック図である。この図において、ＣＰＵ１０は、ＲＯＭ１１に格納される各種制御プログラムを実行して装置各部を制御する。本発明の要旨に関わるＣＰＵ１０の動作、すなわち後述するメインルーチンの動作については後述する。ＲＯＭ１１は、ＣＰＵ１０により実行される各種制御プログラムや制御データ等を記憶する。ＲＯＭ１１に記憶される各種制御プログラムとは、後述するメインルーチンを含む。ＲＡＭ１２は、ＣＰＵ１０のワークエリアとして用いられ、各種レジスタ・フラグデータを一時記憶する。
【００２０】
操作部１３は、各種操作スイッチを備え、操作されるスイッチに対応したスイッチイベントを発生する。操作部１３に配設される代表的なスイッチとして、後述する切替部２０の切替え動作を指定するモードスイッチ、後述する選択部１９の選択動作を指定するデータ放送スイッチ、視聴するチャンネル番号を設定するチャンネルスイッチおよび受信するデータ放送のチャンネル番号を設定するデータ放送チャンネルスイッチがある。これらスイッチ操作に対応する処理動作については追って述べる。
【００２１】
外部入力部１４には、外部の放送受信装置が受信したチャンネルの番組パケットが入力される。外部入力部１４に入力される番組パケットＥＰは、ＣＰＵ１０の制御の下に、切替部２０に供給される。電源１５は、装置各部に駆動電圧を供給する。電源制御部１６は、ＣＰＵ１０の指示に応じて、受信部１７及びデータ放送受信部１８に供給する駆動電源をオンオフ制御する。受信部１７は、ＣＰＵ１０が指定するチャンネルの放送信号をアンテナＡＮＴ１を介して選局受信してＯＦＤＭ復調し、これにて得られるトランスポートストリームＴＳから指定チャンネルの映像・音声からなる番組パケットＰおよびデータ放送コンテンツＤ１を分離抽出して出力する。
【００２２】
データ放送受信部１８は、ＣＰＵ１０が指定するチャンネルのデータ放送信号をアンテナＡＮＴ２を介して選局受信してＯＦＤＭ復調し、これにて得られるトランスポートストリームＴＳから指定チャンネルのデータ放送コンテンツＤ２を抽出して出力する。選択部１９は、ＣＰＵ１０の指示に応じて、受信部１７から供給されるデータ放送コンテンツＤ１又はデータ放送受信部１８から供給されるデータ放送コンテンツＤ２のいずれかを選択して次段へ出力する。切替部２０は、ＣＰＵ１０の指示に応じて、受信部１７から供給される番組パケットＰ又は外部入力される番組パケットＥＰのいずれかを選択し、選択した番組パケットＰ（又は番組パケットＥＰ）中のＭＰＥＧ−２形式の映像データを画像合成部２２に、ＭＰＥＧ−２  ＡＡＣ形式の音声データを音声再生部２３にそれぞれ出力する。
【００２３】
データ放送画像生成部２１は、選択部１９により選択されるデータ放送コンテンツＤ１（又はデータ放送コンテンツＤ２）を画面表示するデータ放送画面ＤＧを発生する。ここで、図２を参照してデータ放送画面ＤＧの一例を説明する。図２に図示するデータ放送画面ＤＧは、天気予報やニュースなどの蓄積型サービスコンテンツを画面表示する場合の画面構成を示している。この図に示すように、データ放送画面ＤＧは、ヘッドライン表示領域、映像表示領域およびデータ放送コンテンツ表示領域を備える。ヘッドライン表示領域には、選択部１９から供給されるデータ放送コンテンツＤ１（又はデータ放送コンテンツＤ２）のヘッドライン（表示項目）が表示される。このヘッドライン表示領域でユーザ操作で選択されるヘッドライン（表示項目）の詳細内容がデータ放送コンテンツ表示領域に画面表示される。
【００２４】
画像合成部２２は、切替部２０から供給されるＭＰＥＧ−２形式の映像データを復号すると共に、その復号した映像を、データ放送画像生成部２１が発生するデータ放送画面ＤＧ（図２参照）の映像表示領域に合成して表示部２４に出力する。音声再生部２３は、切替部２０から供給されるＭＰＥＧ−２  ＡＡＣ形式の音声データを復号して音声再生する。表示部２４は、画像合成部２２から出力される合成画像を画面表示する。
【００２５】
（２）動作
次に、図３〜図４を参照してＣＰＵ１０の動作を説明する。放送受信装置１００の電源をパワーオンすると、ＣＰＵ１０は図３に図示するメインルーチンを実行してステップＳ１に進み、装置各部を初期化するイニシャライズを行う。続いてステップＳ２以降では、操作部１３のスイッチ操作に対応して発生するスイッチイベントに応じた処理動作を行う。以下では、本発明の要旨に係わる「モードスイッチ」、「データ放送スイッチ」、「チャンネルスイッチ」および「データ放送チャンネルスイッチ」がそれぞれ操作された場合に分けて動作を説明する。
【００２６】
＜モードスイッチがオン操作された場合＞
ステップＳ２では、モードスイッチのオン操作の有無を判断する。モードスイッチがオン操作されると、ここでの判断結果が「ＹＥＳ」になり、ステップＳ３に進む。ステップＳ３では、モードスイッチのオン操作に応じて遷移したモードが受信入力モードであるか否かを判断する。受信入力モードであると、判断結果は「ＹＥＳ」になり、ステップＳ４に進み、受信部１７から供給される番組パケットＰを選択するよう切替部２０に指示してから上記ステップＳ２に処理を戻す。
【００２７】
一方、モードスイッチのオン操作に応じて遷移したモードが外部入力モードであれば、上記ステップＳ３の判断結果は「ＮＯ」となり、ステップＳ５に進み、外部入力部１４を介して外部より入力される番組パケットＥＰを選択するよう切替部２０に指示してから上記ステップＳ２に処理を戻す。
【００２８】
＜データ放送スイッチがオン操作された場合＞
ステップＳ６では、データ放送スイッチのオン操作の有無を判断する。データ放送スイッチがオン操作されると、ここでの判断結果が「ＹＥＳ」になり、ステップＳ７に進む。ステップＳ７では、フラグＤＨＦを反転する。続いて、ステップＳ８では、反転されたフラグＤＨＦの値が「１」であるか否かを判断する。反転されたフラグＤＨＦの値が「１」であると、ステップＳ８の判断結果が「ＹＥＳ」になり、ステップＳ９に進み、データ放送受信部１８に供給する駆動電源をオン状態に設定するよう電源制御部１６に指示する。
そして、ステップＳ１０に進み、画像合成部２２に対して合成画像の作成を指示した後、上述のステップＳ２に処理を戻す。これにより、画像合成部２２では、切替部２０から供給されるＭＰＥＧ−２形式の映像データを復号すると共に、その復号した映像を、データ放送画像生成部２１が発生するデータ放送画面ＤＧ（図２参照）の映像表示領域に合成した合成画像を作成して表示部２４に出力して画面表示させる。
【００２９】
これに対し、反転されたフラグＤＨＦの値が「０」の場合には、上記ステップＳ８の判断結果が「ＮＯ」となり、ステップＳ１１に進む。ステップＳ１１では、データ放送受信部１８に供給する駆動電源をオフ状態に設定するよう電源制御部１６に指示する。そして、ステップＳ１２に進み、画像合成部２２に対して映像のみの合成画像の作成を指示した後、上述のステップＳ２に処理を戻す。これにより、画像合成部２２では、切替部２０から供給されるＭＰＥＧ−２形式の映像データを復号すると共に、その復号した映像だけを表示部２４に出力して画面表示させる。
【００３０】
＜チャンネルスイッチ操作が行われた場合＞
図４に図示するステップＳ１３では、チャンネルスイッチ操作により視聴チャンネルが変更されたか否かを判断する。チャンネルスイッチ操作が行われると、ここでの判断結果が「ＹＥＳ」となり、ステップＳ１４に進み、チャンネルスイッチ操作で設定される視聴チャンネル番号をレジスタＣＨにストアしてステップＳ１５に処理を進める。なお、レジスタＣＨにストアされる視聴チャンネル番号とは、受信部１７が選局受信するチャンネルを表す。
【００３１】
ステップＳ１５では、フラグＤＨＦが「１」であるか否か、すなわち、データ放送受信部１８の電源がオン設定されている状態であるかどうかを判断する。データ放送受信部１８の電源がオフ設定されている場合（フラグＤＨＦが「０」の場合）には、判断結果が「ＮＯ」になり、前述したステップＳ２（図３参照）に処理を戻す。一方、データ放送受信部１８の電源がオン設定されていれば、判断結果は「ＹＥＳ」になり、後述のステップＳ２０に進む。
【００３２】
なお、チャンネルスイッチ操作が行われない場合には、上記ステップＳ１３の判断結果が「ＮＯ」となり、ステップＳ１６に進み、上記ステップＳ１５と同様、フラグＤＨＦが「１」であるか否か、すなわち、データ放送受信部１８の電源がオン設定されている状態であるかどうかを判断する。データ放送受信部１８の電源がオフ設定されていれば、判断結果は「ＮＯ」になり、前述したステップＳ２（図３参照）に処理を戻す。一方、データ放送受信部１８の電源がオン設定されていると、判断結果が「ＹＥＳ」になり、後述のステップＳ１７に進む。
【００３３】
＜データ放送チャンネルスイッチ操作が行われた場合＞
ステップＳ１７では、データ放送チャンネルスイッチ操作によりデータ放送チャンネルが変更されたか否かを判断する。データ放送チャンネルスイッチ操作が行われなければ、判断結果は「ＮＯ」となり、前述したステップＳ２（図３参照）に処理を戻すが、データ放送チャンネルスイッチ操作が行われると、判断結果は「ＹＥＳ」になり、ステップＳ１８に進む。ステップＳ１８では、データ放送チャンネルスイッチ操作で設定されるデータ放送チャンネル番号をレジスタＤＣＨにストアしてステップＳ１９に処理を進める。なお、レジスタＤＣＨにストアされるデータ放送チャンネル番号とは、データ放送受信部１８が選局受信するデータ放送チャンネルを表す。
【００３４】
ステップＳ１９では、レジスタＤＣＨにストアされたデータ放送チャンネル番号をデータ放送受信部１８にセットして受信すべきデータ放送チャンネルに変更するよう指示する。次いで、ステップＳ２０では、レジスタＣＨにストアされた視聴チャンネル番号と、レジスタＤＣＨにストアされたデータ放送チャンネル番号とが一致しているか否か、つまり受信部１７とデータ放送受信部１８とが同じチャンネルを受信しているかどうかを判断する。受信部１７とデータ放送受信部１８とが同じチャンネルを受信していると、判断結果は「ＹＥＳ」になり、ステップＳ２１に進む。
【００３５】
ステップＳ２１では、データ放送受信部１８に供給する駆動電源をオフ状態に設定するよう電源制御部１６に指示する。次いで、ステップＳ２２では、受信部１７が受信出力するデータ放送コンテンツＤ１を選択して次段のデータ放送生成部２１へ出力するよう選択部１９に指示した後、前述のステップＳ２（図３参照）に処理を戻す。
【００３６】
これに対し、受信部１７とデータ放送受信部１８とが同じチャンネルを受信していなければ、上記ステップＳ２０の判断結果は「ＮＯ」となり、ステップＳ２３に進む。ステップＳ２３では、データ放送受信部１８に供給する駆動電源をオン状態に設定するよう電源制御部１６に指示する。そして、ステップＳ２４では、データ放送受信部１８が受信出力するデータ放送コンテンツＤ２を選択して次段のデータ放送生成部２１へ出力するよう選択部１９に指示した後、前述のステップＳ２（図３参照）に処理を戻す。
【００３７】
以上説明したように、本実施形態では、指定チャンネルの映像・音声からなる番組パケットＰおよびデータ放送コンテンツＤ１を受信する受信部１７と、指定チャンネルのデータ放送コンテンツＤ２を受信するデータ放送受信部１８とを備え、切替部２０が受信部１７から供給される番組パケットＰを選択する受信入力モードに設定されている場合に、受信部１７とデータ放送受信部１８とが同じチャンネルを受信していなければ、データ放送受信部１８により受信されたデータ放送コンテンツＤ２に基づいて生成されるデータ放送画面ＤＧ（図２参照）に、受信部１７にて受信された映像・音声からなる番組パケットＰを復号してなる映像を合成して画面表示するので、視聴しているチャンネルの番組と、それ以外の他のチャンネルのデータ放送番組とを同時に視聴することが可能になる。
【００３８】
また、切替部２０が外部入力部１４から供給される番組パケットＥＰを選択する外部入力モードに設定されている場合に、データ放送受信部１８をオン設定すると、このデータ放送受信部１８により受信されたデータ放送コンテンツＤ２に基づいて生成されるデータ放送画面ＤＧ（図２参照）に、外部入力部１４から供給される番組パケットＥＰを復号してなる映像を合成して画面表示するので、外部入力された番組と指定チャンネルのデータ放送番組とを同時に視聴することもできる。
【００３９】
さらに、本実施形態では、切替部２０が受信部１７から供給される番組パケットＰを選択する受信入力モードに設定されている場合に、受信部１７とデータ放送受信部１８との受信チャンネルが同一になると、データ放送受信部１８の駆動電源をオフ状態に設定するので、消費電力の低減を図ることができる。
【図面の簡単な説明】
【００４０】
【図１】本発明の一実施形態による放送受信装置１００の構成を示すブロック図である。
【図２】データ放送画面の一例を示す図である。
【図３】メインルーチンの動作を示すフローチャートである。
【図４】メインルーチンの動作を示すフローチャートである。
【図５】デジタル放送のトランスポートストリームＴＳの構成を説明するための図である。
【符号の説明】
【００４１】
１０  ＣＰＵ
１１  ＲＯＭ
１２  ＲＡＭ
１３  操作部
１４  外部入力部
１５  電源
１６  電源制御部
１７  受信部
１８  データ放送受信部
１９  選択部
２０  切替部
２１  データ放送画像生成部
２２  画像合成部
２３  音声再生部
２４  表示部
【図１】
2006211322.tif 000003
【図２】
2006211322.tif 000004
【図３】
2006211322.tif 000005
【図４】
2006211322.tif 000006
【図５】
2006211322.tif 000007